(57)【要約】  昇降路に立設され、かご室及びつり合いおもりをそれぞれ昇降案内するエレベータ用ガイドレールと、ガイドレールを昇降路壁に固定するためのレール側ブラケットと、ガイドレールの両側フランジ部をレール側ブラケットに取り付け固定するクリップとを備えたエレベータ用ガイドレールの支持装置において、レール側ブラケットの背面側に設けられ、ガイドレールのかご室側フランジ部とレール側ブラケットとを共に挟み込むように取り付けるフック部が先端に設けられた第１のレールクリップと、第１のレールクリップの先端フック部と反対側の端部において、ガイドレールの昇降路壁側のフランジ部を第１のレールクリップと共にレール側ブラケットに締結固定する第２のレールクリップとを備える。ガイドレールを固定するのに必要なレール側ブラケット部分の平面（横方向）寸法が小さくなり、昇降路の平面寸法を小さくできる。
2007108113.tif 000002
【特許請求の範囲】
【請求項１】
昇降路に立設され、かご室及びつり合いおもりをそれぞれ昇降案内するエレベータ用ガイドレールと、前記ガイドレールを昇降路壁に固定するためのレール側ブラケットと、前記ガイドレールの両側フランジ部を前記レール側ブラケットに取り付け固定するクリップとを備えたエレベータ用ガイドレールの支持装置において、
前記レール側ブラケットの背面側に設けられ、前記ガイドレールのかご室側フランジ部とレール側ブラケットとを共に挟み込むように取り付けるフック部が先端に設けられた第１のレールクリップと、
前記第１のレールクリップの先端フック部と反対側の端部において、前記ガイドレールの昇降路壁側のフランジ部を前記第１のレールクリップと共に前記レール側ブラケットに締結固定する第２のレールクリップと、
を備えたことを特徴とするエレベータ用ガイドレールの支持装置。
【請求項２】
第１のレールクリップは、先端フック部側の箇所でガイドレールの背面をボルト、ナットで押圧させて摩擦保持力を上げたことを特徴とする請求項１に記載のエレベータ用ガイドレールの支持装置。
【請求項３】
第２のレールクリップは、第１のレールクリップの先端フック部と反対側の端部において、上下方向に複数個取り付けたことを特徴とする請求項１記載のエレベータ用ガイドレールの支持装置。
【請求項４】
第１のレールクリップは、先端フック部側の箇所でガイドレールの背面を複数個のボルト、ナットで押圧させて摩擦保持力を上げたことを特徴とする請求項１に記載のエレベータ用ガイドレールの支持装置。
【請求項５】
レール側ブラケットの昇降路側端部にジャッキボルトを設け、第１のレールクリップの先端フック部と反対側の端部に前記ジャッキボルトの先端部を受けるボルト受座を設けたことを特徴とする請求項１記載のエレベータ用ガイドレールの支持装置。
【請求項６】
つり合いおもり側ガイドレールに対して適用したことを特徴とする請求項１〜請求項５のいずれかに記載のエレベータ用ガイドレールの支持装置。
【発明の詳細な説明】
【技術分野】
【０００１】
この発明は、エレベータ用ガイドレールの支持装置、特に、つり合いおもり側ガイドレールの支持装置の小型化に関するものである。
【背景技術】
【０００２】
近年、エレベータの省スペース化が求められており、低速領域では機械室レスエレベータが投入され、機械室を不要とすることで対応している。しかし、従来、機械室に配設していた巻上機や制御盤等のエレベータ機器を昇降路内に実装する必要があるため、昇降路の平面寸法が機械室有りのエレベータと比較して、同等以上の平面寸法が必要であった。このような課題に対応するため、巻上機や制御盤等のエレベータ機器を小型化・薄型化して昇降路平面の省スペースに取り組んでいるが、依然として機械室有りのエレベータと比較して、昇降路平面寸法が大きくなるケースが見られる。
エレベータの主流は機械室レスエレベータになりつつあるが、エレベータの機器構成は機械室有りのエレベータの場合と大きくは変わっていない。したがって、現在の機械室レスエレベータの構成で昇降路平面寸法を小さくするためには、巻上機や制御盤以外の機器の小型化・薄型化も不可欠である。
従来、昇降路に立設されてかご室及びつり合いおもりをそれぞれ昇降案内するエレベータ用ガイドレールは、図５に示すように、断面Ｔ字型形状のガイドレール１の背面にレール側ブラケット２を接触させ、ガイドレール１の昇降路壁側のフランジ部１ａ及びかご室側のフランジ部１ｂにそれぞれレールクリップ３を押し当て、例えばボルト５、ナット６からなる締結部品で固定する方法が一般的である。なお、図中、７はガイドレール１を昇降路壁８に固定するための壁側ブラケット、９はエレベータのかご室である。このようなガイドレールの支持装置の場合、ガイドレール１を固定するのに必要なレール側ブラケット２部分の平面（横方向）寸法Ｘは、２個分のレールクリップ３とレール側ブラケット２との掛かり代寸法２Ｘ１と、ガイドレール１の幅寸法Ｘ２の和である。すなわち、Ｘ＝２Ｘ１＋Ｘ２となる。
一方、ガイドレール１の配置位置は、つり合いおもり側ガイドレールの場合、つり合いおもりの幅にもよるが、かご室９とつり合いおもり側ガイドレール１のレール側ブラケット２とのクリアランスによって決まる。したがって、上記したガイドレール１を固定するのに必要なレール側ブラケット２部分の平面（横方向）寸法Ｘが小さくなれば、つり合いおもり側ガイドレール１をかご室９側に寄せて配置することができるので、昇降路の平面寸法を小さくすることが可能となる。【０００３】
また、従来のエレベータのガイドレール支持装置としては、ガイドレールの底部フランジの底面に当接する基部と、この基部と一体に設けられ、ガイドレールの底部フランジの一方の側部を弾性的に把持する折返し片と、基部にボルトを介して締結され、基部の方向へガイドレールの底部フランジの他方の側部を押圧するレールクリップとを備え、ガイドレールの底部フランジの一方の側部を基部と折返し片との間で弾性的に把持するとともに、レールクリップおよび基部によりガイドレールの底部フランジの他方の側部を保持するようにしたものが知られている（例えば、特許文献１参照）。
また、Ｌ字形状のレールクリップを用いることで、ガイドレール側面からのレールクリップの突出量の低減や昇降路内の他の機器との干渉を防止するエレベータ用ガイドレールの支持具が知られている（例えば、特許文献２参照）。【０００４】
【特許文献１】日本特開平６−１５６９２５号公報
【特許文献２】日本特開２００４−１８２６０号公報
【発明の開示】
【発明が解決しようとする課題】
【０００５】
従来のエレベータ用ガイドレールは、ガイドレール１を固定するのに必要なレール側ブラケット２部分の平面（横方向）寸法Ｘが、２個分のレールクリップ３とレール側ブラケット２との掛かり代寸法２Ｘ１と、ガイドレール１の幅寸法Ｘ２の和、すなわち、Ｘ＝２Ｘ１＋Ｘ２であるため、つり合いおもり側ガイドレール１の配置を考えた場合、ガイドレール１を固定するのに必要なレール側ブラケット２部分の平面（横方向）寸法Ｘが大きく、昇降路の平面寸法を小さくできないという問題点があった。【０００６】
また、上記特許文献１では、基部の折返し部でガイドレールのフランジを弾性保持するため、ガイドレール設置の際には、基部自体を取り扱う必要があり、基部がガイドレールを支える都合上、高強度であることを要することから比較的重量物となるため、作業性が悪いという問題点がある。また、基部の折返し部でガイドレールのフランジを弾性保持するため、昇降路という限られた空間で高さ方向に設置するガイドレールのフランジに折返し部を嵌めこむ作業は容易ではない。【０００７】
この発明は上記課題を解決するためになされたものであり、レールクリップの構造を変更することにより、レール側ブラケットの実装寸法を小さくし、昇降路の平面寸法を小さくしたエレベータ用ガイドレールの支持装置を提供するものである。
【課題を解決するための手段】
【０００８】
この発明に係るエレベータ用ガイドレールの支持装置は、昇降路に立設され、かご室及びつり合いおもりをそれぞれ昇降案内するエレベータ用ガイドレールと、ガイドレールを昇降路壁に固定するためのレール側ブラケットと、ガイドレールの両側フランジ部をレール側ブラケットに取り付け固定するクリップとを備えたものにおいて、レール側ブラケットの背面側に設けられ、ガイドレールのかご室側フランジ部とレール側ブラケットとを共に挟み込むように取り付けるフック部が先端に設けられた第１のレールクリップと、第１のレールクリップの先端フック部と反対側の端部において、ガイドレールの昇降路壁側のフランジ部を第１のレールクリップと共にレール側ブラケットに締結固定する第２のレールクリップとを備えたものである。【０００９】
また、第１のレールクリップは、先端フック部側の箇所でガイドレールの背面をボルト、ナットで押圧させて摩擦保持力を上げたものである。【００１０】
また、第２のレールクリップは、第１のレールクリップの先端フック部と反対側の端部において、上下方向に複数個取り付けたものである。【００１１】
また、第１のレールクリップは、先端フック部側の箇所でガイドレールの背面を複数個のボルト、ナットで押圧させて摩擦保持力を上げたものである。【００１２】
また、レール側ブラケットの昇降路側端部にジャッキボルトを設け、第１のレールクリップの先端フック部と反対側の端部にジャッキボルトの先端部を受けるボルト受座を設けたものである。【００１３】
更にまた、つり合いおもり側ガイドレールに対して適用したものである。
【発明の効果】
【００１４】
この発明によれば、従来構造のレールクリップを２個用いたガイドレールの支持装置と比較して、ガイドレールを固定するのに必要なレール側ブラケット部分の平面（横方向）寸法Ｘが小さくなるので、つり合いおもり用ガイドレールをかご室側にオフセット移動することが可能となり、オフセット量だけ昇降路の平面寸法を小さくすることができる。
【図面の簡単な説明】
【００１５】
【図１】図１はこの発明の実施例１におけるエレベータ用ガイドレールの支持装置を示す昇降路の一部平面図である。
【図２】図２はこの発明の実施例１におけるエレベータ用ガイドレールの支持装置と従来のものとを比較しながら昇降路の平面寸法の相違を示す平面図である。
【図３】図３はこの発明の実施例２におけるエレベータ用ガイドレールの支持装置を示す昇降路の一部平面図である。
【図４】図４はこの発明の実施例３におけるエレベータ用ガイドレールの支持装置を示す昇降路の一部平面図である。
【図５】図５は従来のエレベータ用ガイドレールの支持装置を示す昇降路の一部平面図である。
【符号の説明】
【００１６】
１  つり合いおもり用ガイドレール
１ａ  昇降路壁側のフランジ部
１ｂ  かご室側のフランジ部
２  レール側ブラケット
３  第２のレールクリップ
４  第１のレールクリップ
４ａ  ボルト受座
５、１０  ボルト
６、１１  ナット
７  壁側ブラケット
８  昇降路壁
９  かご室
１２  ジャッキボルト
【発明を実施するための最良の形態】
【００１７】
この発明をより詳細に説明するために、添付の図面に従ってこれを説明する。
【実施例１】
【００１８】
図１はこの発明の実施例１におけるエレベータ用ガイドレールの支持装置を示す昇降路の一部平面図、図２はこの発明の実施例１におけるエレベータ用ガイドレールの支持装置と従来のものとを比較しながら昇降路の平面寸法の相違を示す平面図である。
この発明のエレベータ用ガイドレールは、図１に示すように、断面Ｔ字型形状のつり合いおもり側ガイドレール１の背面にレール側ブラケット２を接触させ、先ず、つり合いおもり側ガイドレール１のかご室側のフランジ部１ｂをこの発明による第１のレールクリップ４によって取り付ける。この第１のレールクリップ４は、レール側ブラケット２の背面側に設けられ、先端がつり合いおもり側ガイドレール１のかご室側のフランジ部１ｂをフックするＵ字形状フック部となっており、つり合いおもり側ガイドレール１のかご室側のフランジ部１ｂとレール側ブラケット２を共に挟み込むように取り付けられる。次に、上記第１のレールクリップ４の先端のＵ字形状フック部と反対側の端部において、従来と同じ構造の第２のレールクリップ３により、つり合いおもり側ガイドレール１の昇降路壁側のフランジ部１ａと共に例えばボルト５、ナット６からなる締結部品で取り付けている。なお、図中、７はつり合いおもり側ガイドレール１を昇降路壁８に固定するための壁側ブラケット、９はかご室である。これにより、つり合いおもり側ガイドレール１はレール側ブラケット２に固定される。この時、第１のレールクリップ４にて、レール側ブラケット２とガイドレール１のフランジ部１ｂを挟むように保持するので、レール側ブラケット２を予め固定させておくことができ、ガイドレール設置の際には、第２のレールクリップ３のみ取り扱えるので、比較的作業が容易である。
つり合いおもり側ガイドレール１のかご室側のフランジ部１ｂをレール側ブラケット２に取り付けるための第１のレールクリップ４を、図１に示すような構造とした場合、ガイドレール１を固定するのに必要なレール側ブラケット２部分の平面（横方向）寸法Ｘは、第２のレールクリップ３とレール側ブラケット２との掛かり代寸法Ｘ１と、ガイドレール１の幅寸法Ｘ２と、第１のレールクリップ４の先端Ｕ字形状フック部のレール側ブラッケット２端部からの突出代Ｘ３との和である。すなわち、Ｘ＝Ｘ１＋Ｘ２＋Ｘ３となる。ここで、Ｘ１＞Ｘ３の関係にあるため、この発明による第１のレールクリップ４を用いた場合は、図２に示すように、従来構造の第２のレールクリップ３を２個用いたものと比較して、ガイドレール１を固定するのに必要なレール側ブラケット２部分の平面（横方向）寸法Ｘが小さくなるので、昇降路の平面寸法を小さくすることができる。
図２における各寸法は次のとおりである。Ａ１はかご室９からレール側ブラケット２の端部までの寸法、Ａ２はかご室９から第１のレールクリップ４の先端部までの寸法で、その関係はＡ１＝Ａ２である。また、Ｂ１はレール側ブラケット２の端部からつり合いおもり用ガイドレール１の中心までの寸法、Ｂ２は第１のレールクリップ４の先端部からつり合いおもり用ガイドレール１の中心までの寸法で、その関係はＢ１＞Ｂ２である。また、Ｃはつり合いおもり用ガイドレール１の中心から昇降路壁８までの寸法、Ｄ１は従来構造の第２のレールクリップ３を２個用いた場合のかご室９から昇降路壁８までの寸法、Ｄ２はこの発明による第１のレールクリップ４を用いた場合のかご室９から昇降路壁８までの寸法で、その関係はＤ１＞Ｄ２である。Ｅはこの発明によるエレベータ用ガイドレールの支持装置と従来のものとの差寸法（Ｄ１−Ｄ２）であり、このＥ寸法分だけつり合いおもり用ガイドレール１をかご室９側にオフセット移動することが可能となり、昇降路の平面寸法を小さくすることができる。【００１９】
以上のように、この発明の実施例１によれば、従来構造の第２のレールクリップを２個用いたガイドレールの支持装置と比較して、ガイドレールを固定するのに必要なレール側ブラケット部分の平面（横方向）寸法Ｘが小さくなるので、つり合いおもり用ガイドレールをかご室側にオフセット移動することが可能となる。その結果、オフセット量だけ昇降路の平面寸法を小さくすることができる。
【実施例２】
【００２０】
図３はこの発明の実施例２におけるエレベータ用ガイドレールの支持装置を示す昇降路の一部平面図である。
この実施例２においては、図３に示すように、第１のレールクリップ４の先端のＵ字形状からなるフック部側において、レール側ブラケット２に雌ねじを設け、つり合いおもり側ガイドレール１の背面からボルト１０及びナット１１を上記雌ねじ部で支持し、ボルト１０、ナット１１で第１のレールクリップ４を押圧させることにより、第１のレールクリップ４とレール側ブラケット２の設置面の摩擦保持力を上げるようにしている。これによって、例えばつり合いおもりの総質量が大きい場合に、地震時等でつり合いおもり側ガイドレール１にかかる横荷重が大きい場合でも、第１のレールクリップ４の横ずれを防止することが可能となる。
また、上記の課題に対しては、第１のレールクリップ４の先端のＵ字形状フック部と反対側の端部において、従来構造の第２のレールクリップ２で固定する箇所を上下方向に複数箇所増やすことで、またボルト５、ナット６からなる締結部品の本数を増やすことで、より一層の効果を期待することができる。
この実施例２によれば、実施例１と同様の作用、効果が得られることは勿論である。また、ボルト１０、ナット１１で第１のレールクリップ４を押し付ける構造なので、第１のレールクリップ４をフランジ部１ｂ嵌め込む作業は比較的容易であり、かつボルト、ナットにより確実に固定することができる。
【実施例３】
【００２１】
図４はこの発明の実施例３におけるエレベータ用ガイドレールの支持装置を示す昇降路の一部平面図である。
この実施例３においては、第１のレールクリップ４の保持力を確保するために、図４に示すように、レール側ブラケット２の昇降路壁８側端部にジャッキボルト１２を取り付けるとともに、第１のレールクリップ４の先端Ｕ字形状部と反対側の端部にジャッキボルト１２の先端部を受けるボルト受座４ａを折り曲げ形成している。そして、第１のレールクリップ４の先端Ｕ字形状部と反対側の端部のボルト受座４ａをジャッキボルト１２で押圧することにより、第１のレールクリップ４の保持力を向上させるようにしている。これによって、例えばつり合いおもりの総質量が大きい場合に、地震時等でつり合いおもり側ガイドレール１にかかる横荷重が大きい場合でも、第１のレールクリップ４の横ずれを防止することが可能となる。
【産業上の利用可能性】
【００２２】
以上のように、この発明に係るエレベータ用ガイドレールの支持装置は、ガイドレールを固定するのに必要なレール側ブラケット部分の平面（横方向）寸法Ｘが小さくなり、つり合いおもり用ガイドレールをかご室側にオフセット移動することにより、オフセット量だけ昇降路の平面寸法を小さくすることができる。
【図１】
2007108113.tif 000003
【図２】
2007108113.tif 000004
【図３】
2007108113.tif 000005
【図４】
2007108113.tif 000006
【図５】
2007108113.tif 000007
【国際調査報告】
2007108113.tif 000008
2007108113.tif 000009
2007108113.tif 000010
2007108113.tif 000011